(57)【特許請求の範囲】
【請求項１】
光伝送路終端装置（３６）と、前記光伝送路終端装置（３６）の下流に設けられ、単一のファイバ（５６）を通じて該光伝送路終端装置（３６）に接続されるスプリッタ（４６）と、少なくとも２つのネットワーク端末（２０、２２）とを備える、パッシブ光ネットワーク（ＰＯＮ）において故障したネットワーク端末を特定する方法であって、
各ネットワーク端末（２０、２２）は、その上流において、異なる専用ファイバを通じて前記スプリッタ（４６）に接続され、該スプリッタ（４６）は、前記ネットワーク端末（２０、２２）から送信される任意の信号を重ね合わせるための加算器としての役割を果たし、
該方法は、同じスプリッタ（４６）に接続された端末毎に順に行う、
１ａ．）前記光伝送路終端装置から１つの識別されたネットワーク端末（２０、２２）に、残りのネットワーク端末が休止するように要求されている間に試験信号を送信するための要求を送信するステップ（９５、１９４）と、
１ｂ．）前記要求されたネットワーク端末（２０、２２）から、前記試験信号を送信しようと試みるステップ（９６、１９６）と、
１ｃ．）前記試験信号を検出して検出結果を与えるために、前記スプリッタ（４６）から送出され、前記光伝送路終端装置（３６）において受信される前記信号を解析するステップ（９８、１００、１９８、２００）と、
前記精査され識別されたネットワーク端末が故障した端末であるか否かを前記検出結果に基づいて判断するステップ（１０２、２０２）とを含むことを特徴とする、方法。
【請求項２】
前記判断するステップ（１０２、２０２）は、端末毎の前記解析するステップ（９８、１００、１９８、２００）の後に、且つ別の要求されたネットワーク端末から受信される前記信号を解析する前に実行されることを特徴とする、請求項１に記載の方法。
【請求項３】
前記試験信号は、搬送波信号及びデータ変調信号のセットに含まれる信号であることを特徴とする、請求項１又は２に記載の方法。
【請求項４】
全ての前記ネットワーク端末が休止するように要求されるときに、前記光伝送路終端装置において基準信号の存在を検出する第１の初期ステップ（７６）を含むことを特徴とする、請求項１〜３のいずれか一項に記載の方法。
【請求項５】
前記ステップ（７６）において前記基準信号の存在の検出に成功した後に、基準平均受信電力を得るために、スケーリングされたレベル範囲にわたって、前記受信した信号の平均電力を測定するステップ（９２）を含むことを特徴とする、請求項４に記載の方法。
【請求項６】
前記光伝送路終端装置（３６）において受信した前記信号を解析するステップ（９８、１００）において、該解析は、残りのネットワーク端末が休止するように要求されている間に、前記要求されたネットワーク端末（２０、２２）が前記試験信号を送信するときに、前記受信電力の平均を測定すること（９８）によって実行され、
前記測定された受信電力は、前記基準平均受信電力と比較され（１００）、前記受信電力の変化が観測される場合に、前記試験信号が検出されているものと見なされ、
前記判断するステップにおいて、予想される試験信号が検出されないときに、前記精査されたネットワーク端末が故障した端末であると判定されることを特徴とする、請求項５に記載の方法。
【請求項７】
前記試験信号は、シグネチャとして機能する、ＣＤＭＡタイプの擬似ランダムデータ系列によって符号化される、符号化された信号であることを特徴とする、請求項１〜４のいずれか一項に記載の方法。
【請求項８】
前記試験系列を符号化する前記擬似ランダムデータ系列は、全てのネットワーク端末に関して同じであることを特徴とする、請求項７に記載の方法。
【請求項９】
前記解析すること（１９８、２００）は、前記光伝送路終端装置（３６）における前記受信信号と、前記試験信号の前記擬似ランダムデータ系列との相関をとることによって達成されることを特徴とする、請求項７又は８に記載の方法。
【請求項１０】
光伝送路終端装置（３６）と、前記光伝送路終端装置（３６）の下流に設けられ、単一のファイバを通じて該光伝送路終端装置（３６）に接続されるスプリッタ（４６）と、少なくとも２つのネットワーク端末（２０、２２）とを備える、パッシブ光ネットワーク（ＰＯＮ）であって、
各ネットワーク端末（２０、２２）はそれぞれ、その上流において、異なる専用ファイバを通じて前記スプリッタ（４６）に接続され、該スプリッタ（４６）は、前記ネットワーク端末（２０，２２）から送信される任意の信号を重ね合わせるための加算器としての役割を果たし、
各ネットワーク端末（２０、２２）は、前記光伝送路終端装置（３６）から送出される要求を受信すると、試験信号を生成すると共に該試験信号を前記光伝送路終端装置（３６）に送信することができる試験信号送信機（３５）を備え、
前記光伝送路終端装置（３６）は、前記スプリッタに接続された残りのネットワーク端末が休止するように要求されている間に試験信号を送信するための要求を、同じスプリッタに接続された１つのネットワーク端末に送信し、前記残りのネットワーク端末が休止するように要求されているときに前記試験信号を検出して検出結果を与えるために、前記スプリッタから送出され前記光伝送路終端装置において受信される前記信号を解析し、且つ、前記精査されたネットワーク端末が故障した端末であるか否かを前記検出結果に基づいて判断するための、故障診断ユニット（６０）を備えることを特徴とする、パッシブ光ネットワーク（ＰＯＮ）。
【請求項１１】
前記試験信号は、搬送波信号及びデータ変調信号のセットに含まれる信号であることを特徴とする、請求項１０に記載のパッシブ光ネットワーク（ＰＯＮ）。
【請求項１２】
前記故障診断ユニット（６０）は、平均電力検出器と、２つの異なる測定された平均電力値を比較するための比較器とを備えることを特徴とする、請求項１０及び１１のうちのいずれか一項に記載のパッシブ光ネットワーク（ＰＯＮ）。
【請求項１３】
各試験信号送信機（３５）は、前記試験信号を符号化するための擬似ランダムデータ系列符号器を備え、
前記故障診断ユニット（６０）は、前記擬似ランダムデータ系列を検出するのに適している相関ユニットを備えることを特徴とする、請求項１０及び１２のうちのいずれか一項に記載のパッシブ光ネットワーク（ＰＯＮ）。
【請求項１４】
パッシブ光ネットワーク（ＰＯＮ）において故障したネットワーク端末を特定するための故障診断ユニットであって、
同じスプリッタに接続された残りのネットワーク端末が休止するように要求されている間に試験信号を送信するための要求を、精査されるネットワーク端末に送信する手段と、
前記試験信号を検出して検出結果を与えるために、前記残りのネットワーク端末が休止するように要求されている間に前記スプリッタから送出され光伝送路終端装置において受信される前記信号を解析する手段と、
精査されたネットワーク端末が故障した端末であるか否かを前記検出結果に基づいて判断する手段と、
前記要求する作業、解析する作業、及び判断する作業を管理する手段と
を備えることを特徴とする、故障診断ユニット。
【請求項１５】
平均電力検出器と、２つの異なる測定された平均電力値を比較するための比較器とを備えることを特徴とする、請求項１４に記載の故障診断ユニット。
【請求項１６】
前記擬似ランダムデータ系列を検出するのに適している少なくとも１つの相関ユニットを備えることを特徴とする、請求項１４に記載の故障診断ユニット。
【発明の詳細な説明】
【技術分野】
【０００１】
本発明は、パッシブ光ネットワーク（ＰＯＮ）内の故障したネットワーク端末を特定する方法、及びその方法が実施されるパッシブ光ネットワーク（ＰＯＮ）に関する。
【背景技術】
【０００２】
パッシブ光ネットワークは、光ネットワークのアクセス部の２つのアーキテクチャのうちの１つとしてよく知られている。
【０００３】
ポイント・ツー・マルチポイントアーキテクチャ(Point to Multipoint architecture)とも呼ばれる、パッシブ光ネットワーク（ＰＯＮ）アーキテクチャによれば、従来のパッシブ光ネットワーク（ＰＯＮ）は、その上流において、高速光ネットワーキングインフラストラクチャに属するスイッチに接続される光伝送路終端装置（ＯＬＴ）と、１組の光スプリッタとを備え、各光スプリッタは、その上流において、異なる個々の専用ファイバを通じて光伝送路終端装置（ＯＬＴ）に接続される。
【０００４】
また、パッシブ光ネットワークは、顧客の敷地内に配置され、クラスタ内にグループ化される光ネットワーク端末（ＯＮＴ）とも呼ばれる、いくつかのネットワーク端末も備える。
【０００５】
各クラスタのネットワーク端末は、光伝送路終端装置から、対応するクラスタにそれぞれ関連付けられるスプリッタまで、同じ光ファイバを共有する。
【０００６】
各クラスタのネットワーク端末は、異なる個々の専用ファイバを通じて、対応する光スプリッタに接続される。
【０００７】
パッシブ光ネットワークアーキテクチャでは、１つのクラスタのネットワーク端末は、アップリンク（クラスタのネットワーク端末からＯＬＴへ）及びダウンリンク（ＯＬＴからクラスタのネットワーク端末へ）の両方で１つのファイバしか共有しないので、アップリンクデータ及びダウンリンクデータは、レーザの２つの異なる波長を用いて同時に送信される。そのようなアップリンク／ダウンリンクアクセス方式は、波長二重アクセスと呼ばれる。
【０００８】
アップリンク方向では、クラスタの各ユーザに対して１つのタイムスロットが繰返し割り当てられ、そのタイムスロットにおいて、データ送信が可能とされる。
【０００９】
タイムスロットは、１つのフレームの中で、衝突する可能性がある同時送信を避けるように構成される。そのようなネットワーク端末からＯＬＴへのアップリンクアクセス方式は、従来から、時分割多重アクセス（ＴＤＭＡ）と呼ばれている。
【００１０】
意図的に、又は意図することなく、ネットワーク端末が、割り当てられたタイムスロットにおいてデータを送信しているのではなく、何らかの他のネットワーク端末に割り当てられた他のタイムスロットにおいてデータを送信しているとき、故障したネットワーク端末のデータと、他のネットワーク端末によって送信されるデータとの間で衝突が起こる。
【００１１】
その場合、故障を診断し、特に、故障したネットワーク端末を識別し、その場所を突き止める、すなわち、故障したネットワーク端末を特定するためのよく知られている方法は、スプリッタがグループ化されている場所にメンテナンス要員を向かわせることである。関連付けられるスプリッタから、各ネットワーク端末の伝送路接続を手作業で１つ１つ切り離すこと、及びスプリッタに接続される残りのネットワーク端末の助けを借りてループバック試験を実行することによって、技術者は、故障したネットワーク端末を見つけて、識別することができる。
【００１２】
この方法の主な欠点は、スプリッタがある敷地内に技術者を向かわせて、ネットワーク端末とスプリッタとの間の接続を切り離し、接続し直すのにかかる時間及びコストである。この診断方法は、ネットワーク端末ファイバがスプリッタファイバに接合されているときに用いるのが特に難しい。
【先行技術文献】
【特許文献】
【００１３】
【特許文献１】米国特許出願公開第２００４／１５６６３５号
【特許文献２】米国特許出願公開第２００４／０１７９６５号
【００１４】
本発明の目的は、メンテナンスを実行するのがこれまでよりも容易であり、メンテナンス作業における時間の節約をもたらす、パッシブ光ネットワークにおいて故障したユーザを識別し、その場所を突き止めるための診断方法を提供することである。
【００１５】
本発明は、光伝送路終端装置と、その上流において、単一のファイバを通じて光伝送路終端装置に接続されるスプリッタと、少なくとも２つのネットワーク端末とを備える、パッシブ光ネットワーク（ＰＯＮ）において故障したネットワーク端末を特定する方法であって、各ネットワーク端末は、その上流において、異なる専用ファイバを通じてスプリッタに接続され、スプリッタは、ネットワーク端末から送信される任意の信号を重ね合わせる(superpose)ための加算器としての役割を果たし、
当該方法は、端末毎に順に行う、
１ａ．）１つの識別されたネットワーク端末に試験信号を送信するように要求するステップと、
１ｂ．）要求されたネットワーク端末から、試験信号を送信しようと試みるステップと、
１ｃ．）試験信号を検出して検出結果を与えるために、スプリッタから送出され、光伝送路終端装置において受信される信号を解析するステップと、
精査され識別されたネットワーク端末が故障した端末であるか否かを検出結果に基づいて判断するステップとを含むことを特徴とする、方法に関する。
【００１６】
特定の実施形態によれば、ネットワーク端末を特定する方法は、以下の特徴：
要求するステップは、光伝送路終端装置から要求を送信することによって実行されること、
判断するステップは、端末毎の解析するステップの後に、且つ別の要求されたネットワーク端末から受信される信号を解析する前に実行されること、
試験信号は、搬送波信号及びデータ変調信号のセットに含まれる信号であること、
全てのネットワーク端末が休止するように要求されるときに、光伝送路終端装置において基準信号の存在を検出する第１の初期ステップを含むこと、
該ステップにおいて基準信号の存在の検出に成功した後に、基準平均受信電力を得るために、スケーリングされたレベル範囲にわたって、受信した信号の平均電力を測定するステップを含むこと、
光伝送路終端装置において受信した信号を解析するステップにおいて、当該解析は、残りのネットワーク端末が休止するように要求されている間に、要求されたネットワーク端末が試験信号を送信するときに、受信電力の平均を測定することによって実行されること、
測定された受信電力は、基準平均受信電力と比較され、受信電力の変化が観測される場合に、試験信号が検出されているものと見なされること、
判断するステップにおいて、予想される試験信号が検出されないときに、精査されたネットワーク端末が故障した端末であると判定されること、
試験信号は、シグネチャとして機能する、ＣＤＭＡタイプの擬似ランダムデータ系列によって符号化される、符号化された信号であること、
試験系列を符号化する擬似ランダムデータ系列は、全てのネットワーク端末に関して同じであること、
解析することは、光伝送路終端装置における受信信号と、試験信号の擬似ランダムデータ系列との相関をとることによって達成される、
精査されるネットワーク端末は、残りのネットワーク端末が休止するように要求されている間に、試験信号を送信しようと試みていること、及び
精査されるネットワーク端末は、残りのネットワーク端末が通常のトラフィックモードで動作し続ける間に、試験信号を送信しようと試みていること
のうちの１つ又は複数を含む。
【００１７】
本発明はまた、光伝送路終端装置と、その上流において、単一のファイバを通じて光伝送路終端装置に接続されるスプリッタと、少なくとも２つのネットワーク端末とを備える、パッシブ光ネットワーク（ＰＯＮ）であって、各ネットワーク端末は、その上流において、異なる専用ファイバを通じてスプリッタに接続され、スプリッタは、ネットワーク端末から送信される任意の信号を重ね合わせるための加算器としての役割を果たし、
各ネットワーク端末は、光伝送路終端装置から送出される要求を受信すると、試験信号を生成すると共に試験信号をそれぞれのスプリッタに送信することができる試験信号送信機（３５）を備え、
光伝送路終端装置は、試験信号を送信するための要求を精査される端末毎にネットワーク端末に送信し、試験信号を検出して検出結果を与えるために、スプリッタから送出され光伝送路終端装置において受信される信号を解析し、且つ、精査されたネットワーク端末が故障した端末であるか否かを検出結果に基づいて判断するための、故障診断ユニットを備えることを特徴とする、パッシブ光ネットワーク（ＰＯＮ）にも関する。
【００１８】
特定の実施形態によれば、パッシブ光ネットワークシステムは、以下の特徴：
試験信号が、搬送波信号及びデータ変調信号のセットに含まれる信号であること、
故障診断ユニットが、平均電力検出器と、２つの異なる測定された平均電力値を比較するための比較器とを備えること、
各試験信号送信機が、試験信号を符号化するための擬似ランダムデータ系列符号器を備えること、及び
解析診断ユニットは、擬似ランダムデータ系列を検出するのに適している相関ユニットを備えること
のうちの１つ又は複数を含む。
【００１９】
本発明はまた、パッシブ光ネットワーク（ＰＯＮ）において故障したネットワーク端末を特定するための故障診断ユニットであって、
試験信号を送信するための要求を、精査されるネットワーク端末に送信する手段と、
試験信号を検出して検出結果を与えるために、スプリッタから送出され光伝送路終端装置において受信される信号を解析する手段と、
精査されたネットワーク端末が故障した端末であるか否かを検出結果に基づいて判断する手段と、
要求する作業、解析する作業、及び判断する作業を管理する手段と
を備えることを特徴とする、故障診断ユニットにも関する。
【００２０】
特定の実施形態によれば、診断ユニットは以下の特徴：
平均電力検出器と、２つの異なる測定された平均電力値を比較するための比較器とを備えること、及び
擬似ランダムデータ系列を検出するのに適している少なくとも１つの相関ユニットを備えること
のうちの１つ又は複数を含む。
【００２１】
以下の説明は一例として与えられるにすぎないが、図面を参照しながら読むことによって、本発明のさらなる理解が容易になるであろう。
【図面の簡単な説明】
【００２２】
【図１】本発明による方法が実施されるパッシブ光ネットワークアーキテクチャを示す図である。
【図２】図１のパッシブ光ネットワークにおいて用いられる方法の第１の実施形態のフローチャートである。
【図３】図１のパッシブ光ネットワークにおいて用いられる方法の第２の実施形態のフローチャートである。
【発明を実施するための形態】
【００２３】
図１によれば、光ネットワーク２は包括的には、高速データネットワーキングインフラストラクチャ部４と、ネットワーク端末部６と、ネットワーキングインフラストラクチャ４をネットワーク端末部６にリンクする光アクセス部８とを備える。
【００２４】
高速データネットワーキングインフラストラクチャ部４は、高速データリンク１４で相互接続された１組の高速スイッチ１０、１２を含む。
【００２５】
スイッチ１０、１２は一般的には、１つ又は複数の光アクセス部にも接続される。図１には、ただ１つの光アクセス部８が示されており、単一のファイバ又は銅線１６を通じて光アクセス部８に接続されるただ１つのスイッチ１２が示される。
【００２６】
ネットワーク端末部６は、１組のネットワーク端末１８、２０、２２、２４、２６、２８を含み、これらのネットワーク端末は光アクセス部８を通じてスイッチ１２に接続される。
【００２７】
これらの端末は、多数のクラスタ、ここでは３つのクラスタ３０、３２、３４内にグループ化され、それらのクラスタは、ネットワーク端末を収容する家又は敷地の地理的な分割、及び光アクセス部８内で用いられるアクセスデバイスの統合機能を反映する。
【００２８】
図１では、２つのネットワーク端末１８がクラスタ３０内にグループ化され、４つのネットワーク端末２０、２２、２４、２６がクラスタ３２内にグループ化され、４つのネットワーク端末２８がクラスタ３４内にグループ化される。
【００２９】
各ネットワーク端末１８、２０、２２、２４、２６、２８は、図示されないユーザ標準データ送信機と、試験信号を生成することができる試験信号送信機３５とを含む。
【００３０】
試験信号送信機３５及びユーザ標準データ送信機は、共通部において共通のハードウエア又はソフトウエア機能を共有し、ユーザ標準データ送信機の少なくとも一部の試験が有効になるようにする。
【００３１】
試験信号送信機３５は、試験信号発生器及び図示されない送信機フロントエンドを含み、これらは部分的に、又は全体として、ユーザ標準データ送信機と共通である。
【００３２】
ここで、試験信号送信機フロントエンドは、ユーザデータ送信機フロントエンドを形成するものと同じ部品である。
【００３３】
試験信号送信機３５によって生成される試験信号はいくつかのタイプから成る。
【００３４】
第１のタイプの信号は、純粋な正弦波から形成される搬送波信号である。
【００３５】
第２のタイプの信号は、共通のトラフィックデータ変調信号(a common traffic data modulated signal)である。
【００３６】
第３のタイプの信号は、ＣＤＭＡ（符号分割多重アクセス）において用いられるような、擬似ランダムデータ系列によって符号化された第１のタイプ又は第２のタイプの信号である。
【００３７】
第４のタイプの信号は、第１、第２、第３のタイプの信号のうちの任意の信号を合成することによって得られる信号である。
【００３８】
光アクセス部８は、ネットワーキングインフラストラクチャ部４に対するインターフェースとして、ファイバ又は銅線１６を通じてスイッチ１２に接続される光伝送路終端装置３６を含む。
【００３９】
光伝送路終端装置３６及びスイッチ１２は、ＰＯＰ（Point of Presence）とも呼ばれる中央局３８を構成している。
【００４０】
また光アクセス部８は、フレキシビリティポイントと呼ばれる１組４０のスプリッタ４２、４４、４６、４８と、１組５０の給電線(feeder lines)５２、５４、５６、５８とを含む。
【００４１】
２つのスプリッタ４２は未使用であり、いずれの伝送路にも接続されない。
【００４２】
３つのスプリッタ４４、４６、４８は、その上流において、個々の異なる給電線５４、５６、５８を通じて、光伝送路終端装置３６に接続される。
【００４３】
２つの給電線５２は未使用であり、いずれのデバイスにも接続されない。
【００４４】
光伝送路終端装置３６は、カウンタ及びメモリを含むプロセッサユニットを有する故障診断ユニット６０を備えている。
【００４５】
故障診断ユニット６０は、クラスタの各ネットワーク端末が折り返して試験信号を送信するように、所定の時間系列に従って、ネットワーク端末のクラスタに要求を送信すること、及び、ネットワーク端末から関連付けられるスプリッタを通じて送信される試験信号を受信することによって、診断のプロセスを管理することができる。
【００４６】
故障診断ユニット６０はまた、図示されない平均電力測定ユニット、及び光伝送路終端装置３６において受信される信号の一部又は全体と試験信号内で符号化される予想される擬似ランダム系列の模擬信号との間の１つ又は複数の相互相関を計算するのに適している、図示されない１つ又は複数の相関ユニットを含む。
【００４７】
図２では、故障した端末を診断する方法７０の第１の実施形態が示される。この方法７０は、図１に示されるパッシブ光ネットワークにおいて実施及び機能する。
【００４８】
第１のステップ７２では、各試験信号送信機３５及び故障診断ユニット６０が起動される。ステップ７２中に、スプリッタにそれぞれ関連付けられたマッピングテーブルが、故障診断ユニット６０のメモリ内にロードされる。各マッピングテーブルは、１つのスプリッタに接続されるネットワーク端末の数をカウントする整数によって指標を付けたものを含む。
【００４９】
その後、ステップ７４において、故障診断ユニット６０は、故障が検出されている、スプリッタ伝送路及び関連付けられるスプリッタ、たとえばスプリッタ伝送路５６及びスプリッタ４６を選択する。
【００５０】
その後、ステップ７６において、故障診断ユニット６０は、スプリッタ４６に接続される全てのネットワーク端末２０、２２、２４、２６に対して、電源を入れたままの状態で、休止しているように、すなわちいかなる信号も送信しないように要求する、共通の要求を送信し、スプリッタから光信号電力を検出しようと試みる。
【００５１】
光伝送路終端装置において、電力測定ユニット検出器によって光信号電力が全く検知されない場合には、故障診断ユニット６０は、ステップ７８において、その故障診断プロセスを、標準プロセス８０で処理することができるものと判断する。
【００５２】
電力が検出される場合には、故障診断ユニット６０は、１組９０のステップ９２、９４、９５、９６、９８、１００、１０２、１０４、１０６、１０８及び１１０を伴うプロセスを実行する。
【００５３】
標準プロセス８０は、スプリッタ毎に各ネットワーク端末を走査又は精査すること、及び故障したネットワーク端末が観測されるまで、所定のＴＤＭＡアクセス方式に従って、割り当てられたスロットにおいて送信しているネットワーク端末の数を１つずつ段階的に増やすことから成る。
【００５４】
１組９０のステップのうちの最初のステップ９２では、全てのネットワーク端末２０、２２、２４、２６が休止しているように要求されている間に、故障診断ユニット６０の平均電力測定手段が、スケーリングされたレベル範囲にわたって、光伝送路終端装置レベルにおいて受信した信号の電力を測定し、基準平均電力と呼ばれる、この測定された電力の値をメモリに格納する。
【００５５】
その後、ステップ９４では、現在の整数値ｋを出力する、精査されるネットワーク端末の走査カウンタが、ｋ値に１を入力する（ｋ＝１）ことによって初期化される。
【００５６】
ｋに入力される値１は、ステップ７２において定義されるマッピングテーブルのうちの１つに従って、ネットワーク端末２０に対応する。
【００５７】
次のステップ９５では、試験信号を送信するための要求がネットワーク端末２０に送信される。
【００５８】
ステップ９６では、ネットワーク端末２０は、その試験信号送信機を用いて、試験信号を送信しようと試みる。ここで、試験信号の送信は正しく実行されるものと仮定する。
【００５９】
その後、ステップ９８では、故障診断ユニット６０の平均電力測定ユニットが、光伝送路終端装置において受信した信号の平均電力を電力測定する。
【００６０】
ネットワーク端末２０は正常に機能しているため、妨害信号は、ネットワーク端末２２、２４、２６の中のまだ特定されていない別のネットワーク端末によって生成される。
【００６１】
アップストリーム（ネットワーク端末からＯＬＴに向かう方向）においてネットワーク端末のための加算器としての役割を果たすスプリッタ４６から送出される受信信号は、ネットワーク端末から送信される信号と妨害信号との重ね合わせである。
【００６２】
この干渉タイプ信号の実際の平均電力が、妨害信号単独の平均電力と同じである確率は非常に低く、実際の平均受信電力は、ステップ９２において基準平均信号電力と呼ばれる妨害信号の平均電力と異なることさえ予想することができる。
【００６３】
その後、ステップ１００では、測定された平均受信電力が、ステップ９２において求められた基準平均電力と比較される。
【００６４】
平均電力の任意の変化が観測される場合には、プロセスはステップ１０４に続き、観測されない場合には、現在のカウント値ｋにマッピングされるネットワーク端末が故障した端末と見なされる。
【００６５】
ここで、ネットワーク端末２０は、正常に機能しているものと仮定されるため、プロセスはステップ１０４に進む。
【００６６】
ステップ１０４では、現在精査されているネットワーク端末２０が、休止するように要求され、ステップ１０６では、１に等しい現在の走査カウンタ値ｋを１だけ増やして、現在の値を２に等しくし、それは、ステップ７２において定義されるマッピングテーブルに従って、現在精査されているネットワーク端末として２２に参照されるネットワーク端末をアドレス指定することに対応する。
【００６７】
その後、ステップ１０８では、端末２２に、試験信号を送信するための要求が送信される。
【００６８】
ステップ１１０では、ネットワーク端末２２が試験信号を送信しようと試みる。
【００６９】
ここで、ネットワーク端末２２が故障した端末であると仮定する。
【００７０】
この場合、光伝送路終端装置レベルにおいて受信される受信信号は、妨害信号単独で成り、その平均電力はステップ９２において測定されている。
【００７１】
それゆえ、現在精査されているネットワーク端末２２に関してステップ９８において測定される信号電力は、ステップ９２において測定される基準平均電力と同じであると予想される。
【００７２】
次のステップ１００では、ステップ９８の平均電力測定値と、ステップ９２において測定される基準平均電力とが比較される。
【００７３】
この例の場合がそうであるように、その比較がいかなる変化も示さない場合には、ステップ１０２において、２に等しいｋの値に対応するネットワーク端末、すなわちネットワーク端末２２が、故障したネットワーク端末であると判断される。
【００７４】
その場合、ネットワーク端末２２が故障したネットワーク端末でなかったなら、ステップ１０２において故障した端末が識別されるまで、ステップ１０４、１０６、１０８、１１０、９８、１００によって示されるプロセスが繰り返されていたであろう。
【００７５】
図３では、故障した端末を診断する方法の第２の実施形態が示される。この方法も、図１に示されるパッシブ光ネットワークにおいて実施及び機能する。
【００７６】
方法１７０は、このプロセスの初めに、方法７０と同じステップ７２、７４、７６、７８、８０を含む。
【００７７】
方法１７０は方法７０とは異なり、プロセス９０の代わりに、第２の実施形態特有のプロセス１９０を用いる。
【００７８】
プロセス１９０は、１組のステップ１９２、１９４、１９６、１９８、２００、２０２、２０４、２０６、２０８及び２１０である。
【００７９】
プロセス１９０の第１のステップ１９２では、現在の整数値ｋを出力する、精査されるネットワーク端末の走査カウンタが、ｋ値に１を入力する（ｋ＝１）ことによって初期化される。
【００８０】
ｋに入力される値１は、ステップ７２において定義されるようなマッピングテーブルのうちの１つに従って、ネットワーク端末２０に対応する。
【００８１】
次のステップ１９４では、試験信号を送信するための要求がネットワーク端末２０に送信される。
【００８２】
後続のステップ１９６では、ネットワーク端末２０が、その試験信号送信機３５を用いて、試験信号を送信しようと試みる。
【００８３】
用いられる試験信号は、よく知られているＣＤＭＡタイプの系列のような良好な自己相関特性を示す擬似ランダム系列を含む。
【００８４】
ここで、試験信号の送信が正しく実行されるものと仮定する。
【００８５】
その後、ステップ１９８では、１つ又は複数の相関ユニットが、光伝送路終端装置において受信される信号の一部又は全体と、予想される擬似ランダム系列の模擬信号との間の１つ又は複数の相互相関を計算する。
【００８６】
ネットワーク端末２０が正常に機能しているため、ネットワーク端末２０から生成される試験信号に符号化された擬似ランダム系列を照合して取り出すことに成功する。
【００８７】
この検出は、正しく送信された試験信号に対する干渉信号として作用する妨害信号が存在する場合であっても、成功する。
【００８８】
試験信号が妨害物として作用する妨害信号の影響を受けにくくするために、良好な自己相関特性及び相互相関特性を有する擬似ランダム系列のよく知られているスペクトル拡散特性が都合よく利用される。
【００８９】
したがって、妨害信号が存在する場合でも、試験信号を検出する確率は高い。
【００９０】
その後、ステップ２００では、試験信号の検出の結果が調べられる。
【００９１】
試験信号の検出に成功している場合には、その処理はステップ２０４に続き、成功していない場合には、現在のカウント値ｋにマッピングされるネットワーク端末が故障した端末と見なされる。
【００９２】
ここで、ネットワーク端末２０は正しく動作していると仮定されるため、ステップ２０４が実行される。
【００９３】
ステップ２０４では、現在精査されているネットワーク端末２０が休止するように要求され、ステップ２０６では、１に等しい現在の走査カウンタ値ｋを１だけ増やして、現在の値ｋは２に等しくなり、これは、ステップ７２において定義されるマッピングテーブルに従って、２２に参照されるような現在精査されているネットワーク端末をアドレス指定することに対応する。
【００９４】
その後、ステップ２０８では、端末２２に、試験信号を送信するための要求が送信される。
【００９５】
ステップ２１０では、ネットワーク端末２２が、試験信号を送信しようと試みる。ここで、この信号は、ネットワーク端末２０によって用いられる信号と同じ試験信号である。
【００９６】
ここで、試験信号の送信がネットワーク端末２２によって正しく実行されるものと仮定する。
【００９７】
その後、ステップ１９８、２００及び２０４は、同じ出力を有するネットワーク端末２０の場合と同じようにして実行され、すなわち、ネットワーク端末２２から生成される試験信号を検出するのに成功し、プロセスはステップ２０６に続く。
【００９８】
ステップ２０６では、２に等しい走査カウンタ値ｋを１だけ増やして、現在の値は３に等しくなり、したがってこれは、ステップ７２において定義されるマッピングテーブルに従って、２４に参照されるような現在精査されているネットワーク端末をアドレス指定することに対応する。
【００９９】
その後、ステップ２０８では、試験信号を送信するための要求が、ネットワーク端末２４に送信される。
【０１００】
ステップ２１０では、ネットワーク端末２４が、ネットワーク端末２０及び２２が実行したものと同じ試験信号を送信しようと試みる。
【０１０１】
ここで、ネットワーク端末２４が故障した端末であると仮定する。
【０１０２】
ネットワーク端末２４は正しく動作していないため、ネットワーク端末２４から生成される試験信号に符号化された擬似ランダム系列の照合及び取り出しは達成することはできない。
【０１０３】
それゆえ、ステップ２０２において検出結果が不成功であったことが明らかにされ、ステップ２０２において、ネットワーク端末２４が故障した端末と判断される。
【０１０４】
ネットワーク端末２４が故障したネットワーク端末でなかった場合には、故障した端末、ここではネットワーク端末２６がステップ１０２において識別されるまで、ステップ２０４、２０６、２０８、２１０、１９８、２００によって示されるプロセスが繰り返されたであろう。
【０１０５】
都合が良いことに、試験信号に符号化された擬似ランダム系列を用いると、正しく動作しているネットワーク端末を検出しようとする場合に検出感度が高くなるため、第１の実施形態と比較して、故障した端末を検出する確率がより高くなる。
【０１０６】
これはまた、ネットワーク端末の試験信号送信機３５及び通常のトラフィックデータ送信機によっていずれも共有される、さらに多くの共通のハードウエア機能及びソフトウエア機能に及ぶ。
【０１０７】
第２の実施形態の１つの変形形態では、ステップ７８、８０、２０４が省かれる。この変形形態によれば、故障したネットワーク端末によって影響を及ぼされないトラフィックデータは流れ続けることができ、且つ診断方法が通常のトラフィックサービスと干渉するのはわずかであるため、故障した端末の存在に起因してネットワークの利用可能性が低下することがある場合であっても、データトラフィックサービスが続いている間に、その診断方法は実行される。
【０１０８】
第２の実施形態の１つの変形形態では、ネットワーク端末(terminals)によって用いられる擬似ランダム系列(sequences)は異なる。そのような場合には、故障診断作業は並行して実行することができ、全体的な故障診断プロセスが加速される。
【０１０９】
第１の実施形態又は第２の実施形態の１つの変形形態では、スプリッタが、１組のカスケード接続されたスプリッタによって置き換えられる。
【０１１０】
たとえば、１組のカスケード接続されたスプリッタでは、１つのスプリッタが、その下流において４つのスプリッタに接続され、各スプリッタは４つの入力線を有する。
【図１】
0005232032.tif 000002
【図２】
0005232032.tif 000003
【図３】
0005232032.tif 000004